【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】
波長λの電磁信号を送受信するのに適したアンテナ（１０）において、
共通の周辺エッジ（１７）に固定された第１の面（１３）及び第２の面（１５）を有する非導電性のほぼ平面状の基板（１９）であって、前記周辺エッジは、前記第１及び第２の面に垂直なアンテナ軸（１１）を取り囲んでいることからなる、非導電性のほぼ平面状の基板と、
前記第１の面に配置されて、第１の端部（２３）と第２の端部（２５）、及び、前記第１の端部と第２の端部との間に延びる内側エッジ（２９）を有する伝送ライン（２１）であって、前記内側エッジの少なくとも１つの部分が、前記アンテナ軸を中心とする半径Ｒの弧を形成することからなる、伝送ライン（２１）と、
前記第２の面に配置され、複数のｍ個の溝付き開口部（３３）を有する導電性層（３１）であって、前記溝付き開口部の各々が、前記アンテナ軸から距離Ｒ以内に配置された１つの端部を有し、前記溝付き開口部の各々が、その長さよりも十分に小さい、本質的に均一な幅を有することからなる、導電性層
を備え、
これによって、電磁信号が前記第１の端部に送られると、電磁エネルギーが前記溝付き開口部の各々に順次結合され、これによって、放射信号が、前記溝付き開口部からほぼ前記アンテナ軸の方向に送信されることからなる、アンテナ。
【請求項２】
前記伝送ラインの内側エッジが、少なくともλの導波長を有する、請求項１のアンテナ。
【請求項３】
前記伝送ラインが、マイクロストリップとコプレーナ導波管からなるグループの少なくとも１つの要素からなる、請求項１のアンテナ。
【請求項４】
前記伝送ラインの一方の端部に電気的に接続されるコネクタをさらに備える、請求項１のアンテナ。
【請求項５】
前記伝送ラインの少なくとも一方の端部に電気的に接続される少なくとも１つの増幅器をさらに備える、請求項１のアンテナ。
【請求項６】
前記伝送ラインの一方の端部に電気的に接続されるインピーダンス負荷をさらに備える、請求項１のアンテナ。
【請求項７】
少なくとも第１の前記溝付き開口部の導波長がａλ／ｂである、請求項１のアンテナ。
【請求項８】
第２の前記溝付き開口部の導波長が、前記第１の溝付き開口部の導波長よりも長い、請求項７のアンテナ。
【請求項９】
少なくとも２つの隣接する前記溝付き開口部が、２π／ｍの角度だけ空間的に離れるように、前記ｍ個の溝付き開口部が、前記アンテナ軸のまわりに配列される、請求項１のアンテナ。
【請求項１０】
少なくとも１つの前記溝付き開口部が、直線状の溝付き部分を含む、請求項１のアンテナ。
【請求項１１】
少なくとも１つの前記溝付き開口部が、湾曲した溝付き部分を含む、請求項１のアンテナ。
【請求項１２】
前記湾曲した溝付き部分が、円錐形セクション弧、螺旋弧、対数弧、及び指数弧からなるグループから選択された形状を含む、請求項１１のアンテナ。
【請求項１３】
前記第１の面に平行に隔置されたリフレクタをさらに備える、請求項１のアンテナ。
【請求項１４】
前記第１の面に隣接して配置された閉空洞をさらに備える、請求項１のアンテナ。
【請求項１５】
所与の前記溝付き開口部の大きさが、前記溝に沿って送られる電磁エネルギーよりも、前記溝を横断して送られる電磁エネルギーにより強く結合するように形成される、請求項１のアンテナ。
【請求項１６】
波長λ１及びλ２の電磁信号を送受信するのに適したアンテナにおいて、
共通の周辺エッジに固定された第１の面及び第２の面を有する非導電性のほぼ平面状の基板であって、前記周辺エッジは、前記第１及び第２の面に垂直なアンテナ軸を囲んでいることからなる、非導電性のほぼ平面状の基板と、
前記第１の面に配置されて、第１の端部と第２の端部、及び、前記第１の端部と第２の端部との間に延びる内側エッジを有する伝送ラインであって、前記内側エッジの少なくとも一部分が、前記アンテナ軸を中心とする半径Ｒの弧を形成することからなる、伝送ラインと、
前記第２の面に配置されて、ｍ個の配列された第１の溝付き開口部を有する導電性層であって、前記第１の溝付き開口部の各々は、前記周辺エッジに近接して配置された周辺端部と、前記アンテナ軸から距離Ｒ以内に配置された軸側端部を有し、前記第１の溝付き開口部の各々は、前記周辺端部と前記軸側端部の間においてλ１／４の整数倍の導波長を有し、前記第１の溝付き開口部の少なくとも１つが、隣接する該第１の溝付き開口部から２π／ｍの角度だけ空間的に離れていることからなる、導電性層
を備え、
前記導電性層は、さらに、ｍ個の配列された第２の溝付き開口部を有し、前記第２の溝付き開口部の各々は、前記周辺エッジに近接して配置された周辺端部と、前記アンテナ軸から距離Ｒ以内の位置に配置された軸側端部を有し、前記第２の溝付き開口部の各々は、前記周辺端部と前記軸側端部の間においてλ２／４の整数倍の導波長を有し、前記第２の溝付き開口部の少なくとも１つが、隣接する該第２の溝付き開口部から２π／ｍの角度だけ空間的に離れており、
これによって、電磁信号が前記第１の端部を介して前記伝送ラインに送られると、電磁エネルギーが前記溝付き開口部の各々に順次結合され、これによって、λ１とλ２の一方または両方の波長を有する放射信号が、前記溝付き開口部からほぼ前記アンテナ軸の方向に送信されることからなる、アンテナ。
【請求項１７】
前記溝付き開口部の少なくとも１つが、円錐形セクション弧、螺旋弧、対数弧、及び指数弧からなるグループから選択された形状を含む、請求項１６のアンテナ。
【請求項１８】
前記伝送ラインの第１の端部に電気的に接続されるコネクタをさらに備える、請求項１６のアンテナ。
【請求項１９】
前記伝送ラインの前記第１の端部と第２の端部の少なくとも一方に電気的に接続される少なくとも１つの増幅器をさらに備える、請求項１６のアンテナ。
【請求項２０】
前記伝送ラインの第２の端部に電気的に接続されるインピーダンス負荷をさらに備える、請求項１６のアンテナ。
【請求項２１】
前記基板の第１の面に平行に隔置されたリフレクタをさらに備える、請求項１６のアンテナ。
【請求項２２】
前記基板の第１の面に隣接して配置された閉空洞をさらに備える、請求項１６のアンテナ。
【請求項２３】
電磁信号を送信しまたは受信するのに適した平面アンテナにおいて、
前記平面アンテナの前面に配列されたｍ個の溝付き開口部であって、該溝付き開口部は、電磁信号を受信しまたは送信するためのものであり、この溝付き開口部の配列によってアンテナ軸が確定されることからなる、ｍ個の溝付き開口部と、
受信されたまたは送信された電磁信号を前記溝付き開口部に順次結合するための伝送ラインであって、前記アンテナ軸を実質的に取り囲むようにアンテナの底面に配置された伝送ライン
を備え、
前記伝送ラインは、複数のｍ個の結合領域を有し、前記結合領域の各々が、対応する前記溝付き開口部に近接して配置された前記伝送ラインのセグメントからなり、これによって、前記伝送ラインを介して伝送される電磁信号が、前記溝付き開口部の各々に順次結合されることからなる、アンテナ。
【請求項２４】
少なくとも１つの前記溝付き開口部が、湾曲した溝付き部分を有する、請求項２３のアンテナ。
【請求項２５】
前記溝付き開口部の各々が、溝の長さよりも十分に狭い幅を有する、請求項２３のアンテナ。
【請求項２６】
所与の前記溝付き開口部の大きさが、前記溝に沿って送られる電磁エネルギーよりも、前記溝を横断して送られる電磁エネルギーにより強く結合するように形成される、請求項２５のアンテナ。
【請求項２７】
平面アンテナから円偏光信号を放出するための方法において、
アンテナの背面に配置された伝送ラインに沿って波長λ１の第１の電磁信号を送信するステップであって、前記伝送ラインが、アンテナ軸を中心とする半径Ｒの弧形状セグメントを有することからなる、ステップと、
アンテナの前面に配置された導電性層内に形成された２つ以上の溝付き開口部に前記送信信号を順次結合するステップであって、前記溝付き開口部の各々は、アンテナ軸から距離Ｒ以内に配置された端部を有し、前記溝付き開口部は、信号が、波長λ１を有して右回りまたは左回りの一方の円偏光で放射されるように、アンテナ軸のまわりに配列されることからなる、ステップ
を含む、方法。
【請求項２８】
順次結合するための前記ステップが、前記伝送ラインから前記溝付き開口部まで延びる放射電磁界を生成するステップを含む、請求項２７の方法。
【請求項２９】
前記伝送ラインに沿って波長λ２の第２の電磁信号を送信するステップと、
波長λ２の信号が放射されるように、前記送信信号を前記溝付き開口部に順次結合するステップ
をさらに含む、請求項２７の方法。
【請求項３０】
前記第１の電磁信号を送信する方向とは逆の方向に、波長λ２の第２の電磁信号を前記伝送ラインに沿って送信するステップと、
信号が、右回りまたは左回りの前記一方ではなく他方の円偏光で放射されるように、前記送信信号を前記溝付き開口部に逆順で順次結合するステップ
をさらに含む、請求項２７の方法。
【請求項３１】
平面アンテナを用いて円偏光放射信号を受信するための方法において、
アンテナの前面に配置された導電性層内に形成された２つ以上の溝付き開口部において前記放射信号を受信するステップであって、前記溝付き開口部の各々が、アンテナ周辺部に近接して配置された第１の端部と、アンテナ軸から距離Ｒ以内に配置された第２の端部を有することからなる、ステップと、
前記溝付き開口部の各々からの受信信号を、アンテナの背面に配置された伝送ラインに順次結合するステップであって、前記伝送ラインは、アンテナ軸を中心とするエッジ半径Ｒの弧形状セグメントを有することからなる、ステップ
を含む、方法。
【請求項３２】
波長λの電磁信号を送受信するのに適したアンテナ（１０）であって、
共通の周辺エッジ（１７）に固定された第１の面（１３）及び第２の面（１５）を有する非導電性のほぼ平面状の基板（１９）であって、前記周辺エッジは、前記第１及び第２の面に垂直なアンテナ軸（１１）を取り囲んでいることからなる、非導電性のほぼ平面状の基板と、
前記第１の面に配置されて、第１の端部（２３）と第２の端部（２５）、及び、前記第１の端部と第２の端部との間に延びる内側エッジ（２９）を有する伝送ライン（２１）であって、前記内側エッジの少なくとも一部分が、前記アンテナ軸を中心とする半径Ｒの弧を形成し、前記伝送ラインは、負荷インピーダンス（２４）に電気的に接続することによって前記第２の端部において終端されることからなる、伝送ラインと、
前記第２の面に配置され、複数のｍ個の溝付き開口部（３３）を有する導電性層（３１）であって、前記溝付き開口部の各々が、前記アンテナ軸から距離Ｒ以内に配置された１つの端部を有し、前記溝付き開口部の各々は、その幅が長さよりも十分に小さいことからなる、導電性層
を備え、
これによって、電磁信号が前記伝送ラインの前記第１の端部に送られると、電磁エネルギーが前記溝付き開口部の各々に順次結合され、これによって、放射信号が、前記溝付き開口部からほぼ前記アンテナ軸の方向に送信されることからなる、アンテナ。
【請求項３３】
波長λの電磁信号を送受信するのに適したアンテナ（１０）であって、
共通の周辺エッジ（１７）に固定された第１の面（１３）及び第２の面（１５）を有する非導電性のほぼ平面状の基板（１９）であって、前記周辺エッジは、前記第１及び第２の面に垂直なアンテナ軸（１１）を囲んでいることからなる、非導電性のほぼ平面状の基板と、
前記第１の面に配置されて、第１の端部（２３）と第２の端部（２５）、及び、前記第１の端部と第２の端部との間に延びる内側エッジ（２９）を有する伝送ライン（２１）であって、前記内側エッジの少なくとも一部分が、前記アンテナ軸を中心とする半径Ｒの弧を形成することからなる、伝送ラインと、
前記第２の面に配置されて、複数のｍ個の溝付き開口部（３３）を有する導電性層（３１）
を備え、
前記溝付き開口部の各々は、前記アンテナ軸から距離Ｒ以内の位置に配置された１つの端部を有し、前記溝付き開口部の各々は、その幅が長さよりも十分に小さく、かつ、λ／４の整数倍の電気的長さを有し、前記溝付き開口部の少なくとも１つが、隣接する溝付き開口部から２π／ｍの角度だけ空間的に離れており、
これによって、電磁信号が前記伝送ラインの前記第１の端部に送られると、電磁エネルギーが前記溝付き開口部の各々に順次結合され、これによって、放射信号が、前記溝付き開口部からほぼ前記アンテナ軸の方向に送信されることからなる、アンテナ。
【請求項３４】
前記基板の前記第１の面に平行に隔置されたリフレクタをさらに備える、請求項３３のアンテナ。
【請求項３５】
前記基板の前記第１の面に隣接して配置された閉空洞をさらに備える、請求項３３のアンテナ。
【請求項３６】
前記伝送ラインの内側エッジが、少なくともλの導波長を有する、請求項３３のアンテナ。
【請求項３７】
前記伝送ラインが、マイクロストリップとコプレーナ導波管からなるグループの少なくとも１つの要素からなる、請求項３３のアンテナ。
【請求項３８】
第２の前記溝付き開口部の電気的長さが、第１の前記溝付き開口部の電気的長さよりも長い、請求項３３のアンテナ。
【請求項３９】
少なくとも１つの前記溝付き開口部が、直線部分を含む、請求項３３のアンテナ。
【請求項４０】
少なくとも１つの前記溝付き開口部が、湾曲部分を含む、請求項３３のアンテナ。
【請求項４１】
前記湾曲部分が、円錐形セクション弧、螺旋弧、対数弧、及び指数弧からなるグループから選択された形状を含む、請求項４０のアンテナ。
【請求項４２】
前記伝送ラインの前記第２の端部がインピーダンス負荷に電気的に接続する、請求項３３のアンテナ。